(57)【特許請求の範囲】
【請求項１】
ファインダの視野範囲を変化させるファインダ視野切替え機構において、屈曲部から２方向に延長した、互いになす角が９０度よりも大きい第１遮光部と第２遮光部とからなり、第１位置と第２位置との間で回動可能に前記屈曲部で軸支される、相互に対称に配置された２枚の遮光板と、この２枚の遮光板を連動して操作する操作部材とからなり、２枚の遮光板が前記第１位置にある時には、各々の第１遮光部が前記ファインダの上部と下部を各々一定幅覆ってファインダの縦方向の視野を規制し、２枚の遮光板が前記第２位置にある時には、各々の第２遮光部が前記ファインダの左側部と右側部を各々一定幅覆ってファインダの横方向の視野を規制することにより、前記ファインダの視野範囲を切り替えるようにしたことを特徴とするファインダ視野切替え機構。
【発明の詳細な説明】
【０００１】
【産業上の利用分野】
本発明は、カメラやレンズ付きフイルムユニットのファインダの視野範囲を変化させるファインダ視野切替え機構に関するものである。
【０００２】
【従来の技術】
近年、カメラやレンズ付きフイルムユニットによるプリント写真の魅力や楽しみをより一層一般のユーザーに広げるために、撮影した被写体の種類や大きさによって、アスペクト比の異なるプリント写真が提供されている。このようなプリント写真として、従来の標準サイズであるＬサイズプリント（８９ｍｍ×１２７ｍｍ）に加えて、横方向の長さを倍にしたパノラマプリント（８９ｍｍ×２５２ｍｍ）、ハイビジョンテレビ放送でのアスペクト比に近似させたハイビジョンプリント（８９ｍｍ×１５８ｍｍ）等が一般に知られている。
【０００３】
このような、アスペクト比の異なるプリント写真を得る方法として、１本の写真フイルムを撮影していく途中で、写真フイルムに対する露光範囲を、レンズ付きフイルムユニットに設けられた遮光板等により制限して、Ｌサイズプリント露光範囲（２４ｍｍ×３６ｍｍ）、パノラマプリント露光範囲（１３ｍｍ×３６ｍｍ）、及びハイビジョンプリント露光範囲（２０ｍｍ×３６ｍｍ）を設定し、これにより得られた露光範囲の異なるネガフイルムから、上述した各モードのプリント写真を得る方法が知られている。
【０００４】
また、撮影時には露光範囲を固定した単一の露光範囲で全撮影コマを撮影すると同時に、プリントモードを指定するプリントデータを記録し、現像所等でのプリント時にこのプリントデータを基にして、前述したような各撮影モードの露光範囲に相当する範囲だけをプリントすることにより、各モードのプリント写真を得る方法も考えられている。
【０００５】
一方、特開平６−３０１１５７号公報で知られるように、リーダー部をパトローネから突出させることなく、フイルムを全てパトローネ内に巻き込んだ写真フイルムパトローネが提案されている。この様な写真フイルムパトローネにおいては、ハイビジョンプリント露光範囲（３０．２ｍｍ×１６．７ｍｍ）を標準の露光サイズとし、この標準の露光サイズの横方向を制限したＬサイズプリント露光範囲（２３．４ｍｍ×１６．７ｍｍ）、及び標準の露光サイズの縦方向を制限したパノラマプリント露光範囲（３０．２ｍｍ×９．５ｍｍ）が設定される。
【０００６】
このように、露光範囲を制限したり、或いはプリント範囲を指定する等の機能を有するカメラやレンズ付きフイルムユニットは、通常、各プリントモードの範囲に対応してファインダの視野も変えることにより、各プリントモードにおける正確なプリント範囲を、撮影者が把握できるようにしたものが多い。カメラやレンズ付きフイルムユニットのファインダの視野を変える方法としては、例えば、ファインダの視野範囲を最大のプリントモードに対応させておき、他のプリントモードに対応した大きさの開口を設けた視野制限板を、このファインダに挿脱することにより、各プリントモードに対応した視野範囲に切り替える方法が知られている。
【０００７】
【発明が解決しようとする課題】
前述したように、視野制限板をファインダに挿脱することによりファインダの視野範囲を切替える場合、この視野制限板の退避領域をユニット本体に確保する必要がある。特に、３つ以上のプリントモードに対応したファインダ視野に切替えを可能にする場合、視野制限板に設ける開口は少なくとも２種類以上必要になる。
【０００８】
しかしながら、カメラやレンズ付きフイルムユニットは、多くの場合ファインダの直下に露光光路があり、必然的にユニット本体の横方向に視野制限板を退避させるスペースを設けざるを得ない。その結果、ファインダ視野を３つ以上のプリントモードに対応させる場合には、２つ以上の開口を設けた横長の視野制限板を取りつけなければならず、カメラやレンズ付きフイルムユニットの幅が増加することになる。そして、小型、軽量が特徴であるレンズ付きフイルムユニットにおいては、この視野制限板が小型化に対する大きな障害となっている。
【０００９】
本発明は、このような問題点を解決するためになされたものであり、ファインダの視野を３つ以上のプリントモードに対応して切替え可能にし、且つ、小型化が可能なファインダ視野切替え機構を提供することを目的とする。
【００１０】
【課題を解決するための手段】
上記目的を達成するために、本発明のファインダ視野切替え機構では、屈曲部から２方向に延長した、互いになす角が９０度よりも大きい第１遮光部と第２遮光部とからなり、第１位置と第２位置との間で回動可能に屈曲部で軸支される、相互に対称に配置された２枚の遮光板と、この２枚の遮光板を連動して操作する操作部材とを設け、２枚の遮光板が第１位置にある時には、各々の第１遮光部がファインダの上部と下部を各々一定幅覆ってファインダの縦方向の視野を規制し、２枚の遮光板が第２位置にある時には、各々の第２遮光部がファインダの左側部と右側部を各々一定幅覆ってファインダの横方向の視野を規制することで、ファインダの視野範囲を切り替えるようにしたものである。
【００１３】
【実施例】
以下、本発明の実施例として、本発明のファインダ視野切替え機構を搭載したレンズ付きフイルムユニットについて説明する。図２は、本発明のファインダ視野切替え機構を搭載したレンズ付きフイルムユニットの外観斜視図であり、図１は、図２のファインダ視野切替え機構部分の説明図である。レンズ付きフイルムユニット２は、標準モードであるハイビジョンモード、パノラマモード、及びＬサイズモードの３種類のプリントモードから、何れか１つを選択してプリントデータとして写真フイルムに記録することが可能である。
【００１４】
レンズ付きフイルムユニット２は、大別してユニット本体３と、これを覆う外箱４とからなっている。ユニット本体３には、周知の撮影機構（図示せず）、写真フイルムパトローネ（図示せず）、及び、後述するファインダ視野切替え機構１、プリントモード記録装置２０が内蔵されている。
【００１５】
ユニット本体３の前面には、撮影レンズ５、ファインダ６、プリントモードを選択する連動部材１５の操作突起１５ａが露出しており、上面には、撮影枚数表示板１１、及びレリーズボタン１２が露出している。ユニット本体３の背面には、写真フイルムを巻き上げるための巻き上げノブ１３が露出している。
【００１６】
ファインダ６は、図１に示すように、接眼レンズ６ａと対物レンズ６ｂから構成されており、その視野範囲はハイビジョンモードに対応している。そして、ファインダ６の前面には、２枚の遮光板７、８、ガイド枠１４、連動部材１５とこれを付勢するトグルバネ１６とからなるファインダ視野切替え機構１が設けられている。
【００１７】
遮光板７、８は、ファインダ６の４辺の内、各々異なる２辺に倣うように相互に対称に配置されている。そして、遮光板７、８の周囲には、規制枠３ａがユニット本体３と一体に設けられ、遮光板７、８を各々ファインダ６の縦方向と横方向に一定幅だけ移動可能に収納している。また、遮光板７、８の屈曲部分には、軸７ａ、８ａが一体に設けられている。
【００１８】
ガイド枠１４には２個の固定穴１４ａ、１４ｂが設けられ、ユニット本体３の規制枠３ａの外側に設けられた固定突起３ｂ、３ｃが各々圧入されることにより、ガイド枠１４はファインダ６の前面に固定される。
【００１９】
また、ガイド枠１４の右上角と左下角には、遮光板７、８の移動を縦方向と横方向だけに規制する規制部材となる摺動溝１４ｃ、１４ｄが各々設けられ、遮光板７、８の軸７ａ、８ａが、摺動可能に貫通する。
【００２０】
連動部材１５は、上部が開いたリング形状をしており、対角線上の右上部と左下部には矩形の連動溝１５ｂ、１５ｃが各々設けられ、遮光板７、８の軸７ａ、８ａが、摺動可能に貫通する。また、連動部材１５の左側には、この連動部材１５を回動操作するための操作突起１５ａが一体に設けられ、一部はユニット本体３の前面に露出している。
【００２１】
さらに、連動部材１５の下部には、トグルバネ１６の一端と係合する係合突起１５ｄが一体に設けられ、ユニット本体３に一体に設けられた突起３ｄと共に、トグルバネ１６を保持している。
【００２２】
このような構成により、例えば、図３（Ｂ）のように、連動部材１５がハイビジョン位置Ｈにセットされている状態では、遮光板７、８は何れも対物レンズ６ｂの前面から退避しており、ファインダ６の視野は全く制限されないので、本来の視野であるハイビジョンモードの視野となっている。
【００２３】
このような状態から操作突起１５ａを操作して、図３（Ａ）のように連動部材１５を反時計方向に回動させてＬサイズ位置Ｌにセットすると、連動溝１５ｂ、１５ｃに貫通している遮光板７、８の軸７ａ、８ａも反時計方向に回動しようとする。しかし、ガイド枠１４の摺動溝１４ｃ、１４ｄによって規制されるため、軸７ａ、８ａは各々連動溝１５ｂ、１５ｃに沿って横方向に移動する。これにより、遮光板７、８は対物レンズ６ｂの左右を各々一定幅覆い、ファインダ６の視野はＬサイズモードに対応した視野に変化する。
【００２４】
また、図３（Ｂ）の状態から操作突起１５ａを操作して、図３（Ｃ）のように連動部材１５を時計方向に回動させてパノラマ位置Ｐにセットすると、連動溝１５ｂ、１５ｃに貫通している遮光板７、８の軸７ａ、８ａも時計方向に回動しようとする。しかし、ガイド枠１４の摺動溝１４ｃ、１４ｄによって規制されるため、軸７ａ、８ａは各々連動溝１５ｂ、１５ｃに沿って縦方向に移動する。これにより、遮光板７、８は対物レンズ６ｂの上下を各々一定幅覆い、ファインダ６の視野はパノラマモードに対応した視野に変化する。
【００２５】
連動部材１５一端は、図４に示すプリントモード記録装置２０を構成する選択スイッチ２１のスイッチ操作部材２１ａに連結されている。プリントモード記録装置２０は、連動部材１５によるプリントモードの選択により、ユニット本体３に内蔵される写真フイルムに、プリントモードを指定するプリントデータを記録するものであり、選択スイッチ２１、２つの発光ダイオード２２ａ、２２ｂ、電源２３、ワンショットマルチバイブレータ２４、及びメインスイッチ２５等から構成される。
【００２６】
発光ダイオード２２ａ、２２ｂは、一定時間発光することにより、図５に示す写真フイルム３０の各撮影コマ３０ａの下部に設定されたデータ記録領域３０ｂに、矩形のマークを露光する。メインスイッチ２５は、ユニット本体３のレリーズボタン１２に連動して閉じられる（オン状態になる）。また、ワンショットマルチバイブレータ２４は、メインスイッチ２５のオンにより、一定幅のパルスを出力する。
【００２７】
このような構成により、操作突起１５ａをパノラマ位置Ｐにセットすると、連動部材１５に連結しているスイッチ操作部材２１ａにより、選択スイッチ２１は発光ダイオード２２ａ、２２ｂを何れもプリントモード記録装置２０の回路に接続する。そして、レリーズボタン１２を押圧すると、レンズ付きフイルムユニット２のシャッタ機構が動作すると共に、メインスイッチ２５が閉じられ、ワンショットマルチバイブレータ２４が一定幅のパルスを発生する。これにより、発光ダイオード２２ａ、２２ｂは一定時間発光し、図５（Ａ）に示すように、写真フイルム３０のデータ記録領域３０ｂに、矩形のマークを２つ露光する事で表現される、パノラマプリントデータ３２を記録する。
【００２８】
また、操作突起１５ａをＬサイズ位置Ｌにセットすると、選択スイッチ２１は発光ダイオード２２ａだけを回路に接続するので、レリーズボタン１２を押圧すると、シャッタ機構が動作すると共に、発光ダイオード２２ａだけが一定時間発光する。そして、図５（Ｂ）に示すように、写真フイルム３０のデータ記録領域３０ｂに、矩形のマークを１つ露光する事で表現される、Ｌサイズプリントデータ３３が記録される。
【００２９】
さらに、操作突起１５ａをハイヒジョン位置Ｈにセットすると、選択スイッチ２１は発光ダイオード２２ａ、２２ｂを共に回路に接続しないので、レリーズボタン１２を押圧しても、図５（Ｃ）に示すように、写真フイルム３０のデータ記録領域３０ｂには、矩形のマークは全く露光されない。これにより、この撮影コマはハイヒジョンプリントに指定される。
【００３０】
以上のような構成の実施例の作用について説明する。本発明のファインダ視野切替え機構１が搭載されたレンズ付きフイルムユニット２を用いて写真撮影を行う場合、まず、巻き上げノブ１３を回動させて未露光の撮影コマをセットする。そして、被写体の構成等に応じて、操作突起１５ａを操作して希望するプリントモードにセットする。
【００３１】
例えば、操作突起１５ａがハイヒジョン位置Ｈにセットされ、ファインダ６の視野が本来のハイビジョンモードに対応している状態から、パノラマモードを選択する場合、撮影者は操作突起１５ａを上方に動かしてパノラマ位置Ｐにセットする。すると、図３（Ｃ）に示すように、連動部材１５は時計方向に回動し、連動溝１５ｂ、１５ｃに貫通している遮光板７、８の軸７ａ、８ａも時計方向に回動しようとする。
【００３２】
しかし、ガイド枠１４の摺動溝１４ｃ、１４ｄは、ファインダ６の縦方向と横方向にだけ延長している。このため、摺動溝１４ｃ、１４ｄにも貫通している軸７ａ、８ａは動く方向が規制され、軸７ａ、８ａは各々連動溝１５ｂ、１５ｃに沿って縦方向に移動する。これにより、遮光板７、８は対物レンズ６ｂの上下を各々一定幅覆い、ファインダ６の視野はパノラマモードに対応した視野に変化する。
【００３３】
これと同時に、スイッチ操作部材２１ａは連動部材１５との連結により切り替えられ、発光ダイオード２２ａ、２２ｂを何れもプリントモード記録装置２０の回路に接続される。そして、パノラマモードの視野に変化したファインダ６を覗いて撮影範囲を確認し、レリーズボタン１２を押圧すると、レンズ付きフイルムユニット２のシャッタ機構が動作すると共に、メインスイッチ２５が閉じられ、ワンショットマルチバイブレータ２４が一定幅のパルスを発生する。
【００３４】
これにより、発光ダイオード２２ａ、２２ｂは一定時間発光し、図５（Ａ）に示すように、写真フイルム３０のデータ記録領域３０ｂに、矩形のマークを２つ露光する事で表現される、パノラマプリントデータ３２を記録する。
【００３５】
また、Ｌサイズモードを選択する場合、撮影者は操作突起１５ａを下方に動かしてＬサイズ位置Ｌにセットする。すると、図３（Ａ）に示すように、連動部材１５は反時計方向に回動し、連動溝１５ｂ、１５ｃに貫通している遮光板７、８の軸７ａ、８ａも反時計方向に回動しようとする。
【００３６】
しかし、前述したように、軸７ａ、８ａは摺動溝１４ｃ、１４ｄにより、動く方向がファインダ６の縦方向と横方向だけに規制されているので、軸７ａ、８ａは各々連動溝１５ｂ、１５ｃに沿って横方向に移動する。これにより、遮光板７、８は対物レンズ６ｂの左右を各々一定幅覆い、ファインダ６の視野はＬサイズモードに対応した視野に変化する。
【００３７】
これと同時に、スイッチ操作部材２１ａは連動部材１５との連結により切り替えられ、発光ダイオード２２ａだけがプリントモード記録装置２０の回路に接続される。そして、Ｌサイズモードの視野に変化したファインダ６を覗いて撮影範囲を確認し、レリーズボタン１２を押圧すると、レンズ付きフイルムユニット２のシャッタ機構が動作すると共に、メインスイッチ２５が閉じられ、ワンショットマルチバイブレータ２４が一定幅のパルスを発生する。
【００３８】
これにより、発光ダイオード２２ａだけが一定時間発光し、図５（Ｂ）に示すように、写真フイルム３０のデータ記録領域３０ｂに、矩形のマークを１つだけ露光する事で表現される、Ｌサイズプリントデータ３３を記録する。
【００３９】
さらに、ハイビジョンモードを選択する場合、撮影者は操作突起１５ａをハイビジョン位置Ｈにセットする。この位置では、軸７ａ、８ａは摺動溝１４ｃ、１４ｄの屈曲部分に移動し、遮光板７、８は対物レンズ６ｂの前面から退避して、ファインダ６の前面を遮らなくなるので、ファインダ６の視野は本来のハイビジョンモードに対応した視野に変化する。
【００４０】
これと同時に、スイッチ操作部材２１ａは連動部材１５との連結により切り替えられ、選択スイッチ２１は発光ダイオード２２ａ、２２ｂを共に回路に接続しなくなる。従って、レリーズボタン１２を押圧しても、図５（Ｃ）に示すように、写真フイルム３０のデータ記録領域３０ｂには、矩形のマークは全く露光されない。これにより、この撮影コマはハイヒジョンプリントに指定される。
【００４１】
なお、操作突起１５ａの操作による連動部材１５の回動に際して、係合突起１５ｄとユニット本体３の突起３ｄとの間にトグルバネ１６が設けられているので、操作突起１５ａがハイビジョン位置Ｈにある状態から、パノラマ位置Ｐ、またはＬサイズ位置Ｌに回動させる際に、連動部材１５が各々の方向に付勢されるため、連動部材１５が確実に所定位置まで回動され、また、軽快な操作感が得られる。
【００４２】
この様にして撮影されたレンズ付きフイルムユニット２の写真フイルムは、各撮影コマの下側にプリントデータが露光されていない撮影コマは、印画紙にハイビジョンサイズでプリントし、パノラマプリントデータ３２、又はＬサイズプリントデータ３３が露光されている撮影コマは、各々パノラマサイズ、Ｌサイズで印画紙にプリントする。これにより、撮影者の指定したタイプのプリント写真が得られる。
【００４３】
次に、本発明を実施したファインダ視野切替え機構の第２実施例を説明する。図６は、ファインダ視野切替え機構の第２実施例における説明図である。ファインダ視野切替え機構４１は、図６（Ａ）に示すパノラマモードに対応した第１位置と、図６（Ｃ）に示すＬサイズモードに対応した第２位置との間で回動可能な２枚の遮光板４２、４３と、この遮光板４２、４３を連動して回動させるＹ字型の操作部材４４とからなっている。
【００４４】
遮光板４２，４３は、各々第１遮光部４２ａ，４３ａ、第２遮光部４２ｂ，４３ｂ、及び屈曲部４２ｃ，４３ｃから構成され、屈曲部４２ｃ，４３ｃに設けられた軸４２ｄ，４３ｄで、互いに対称にユニット本体（図示せず）に軸着されている。第１遮光部４２ａ，４３ａと第２遮光部４２ｂ，４３ｂとは、各々なす角が９０度以上に成形されている。また、遮光板４２，４３には、各々連動軸４２ｅ，４３ｅが一体に設けられ、操作部材４４の連動溝４４ａ，４４ｂと各々係合している。
【００４５】
この様な構成により、図６（Ａ）に示すように、操作部材４４が第１位置であるパノラマにセットされている時には、遮光板４２、４３の第１遮光部４２ａ，４３ａが、ファインダ４０の上下を各々一定幅覆うようになる。これにより、ファインダ４０の視野はパノラマモードに対応した視野となる。この時、第１遮光部４２ａ，４３ａと第２遮光部４２ｂ，４３ｂとの、各々のなす角が９０度以上になっているので、第２遮光部４２ｂ，４３ｂがファインダ４０の左右を覆ってしまうことがない。
【００４６】
次に、操作部材４４を操作して第１位置と第２位置との中間点であるハイビジョンにセットすると、連動軸４２ｅ，４３ｅと連動溝４４ａ，４４ｂとの係合により、遮光板４２、４３が軸４２ｄ，４３ｄを中心に各々回動する。そして、図６（Ｂ）に示すように、第１遮光部４２ａ，４３ａと第２遮光部４２ｂ，４３ｂの大部分はファインダ４０から退避し、ファインダ４０の視野は、標準撮影モードであるハイビジョンモードに対応した視野となる。
【００４７】
さらに操作部材４４を操作して第２位置であるＬサイズにセットすると、遮光板４２、４３も更に回動する。そして、図６（Ｃ）に示すように、遮光板４２、４３の第２遮光部４２ｂ，４３ｂが、ファインダ４０の左右を各々一定幅覆うようになる。これにより、ファインダ４０の視野はＬサイズモードに対応した視野となる。
【００４８】
本発明を実施したファインダ視野切替え機構の第３実施例を説明する。図７は、ファインダ視野切替え機構の第３実施例における説明図である。レンズ付きフイルムユニット５１のファインダ５２の前面には、２枚の遮光板５３、５４、連動部材５５とこれを操作する操作部材５６とからなるファインダ視野切替え機構５０が設けられている。ファインダ５２は、標準サイズであるハイビジョンモードの視野に対応している。
【００４９】
遮光板５３、５４は、ファインダ６の４辺の内、各々異なる２辺に倣うように相互に対称に配置されている。遮光板５３の屈曲部、及び遮光板５４の右端部には、各々、軸５３ａ、５４ａが設けられている。そして、この軸５３ａ、５４ａは、ファインダ６の近傍に設けられた、湾曲した溝５１ａ、５１ｂに各々摺動自在に貫入している。
【００５０】
また、遮光板５３、５４の左端には、軸５３ｂ、５４ｂが設けられ、連動部材５５の一端と他端に各々軸着されている。この連動部材５５は、軸５７でレンズ付きフイルムユニット５１に回動自在に軸着されている。さらに、遮光板５４の軸５４ｂは、連動部材５５を回動操作するための操作部材５６に設けられた長穴５６ｂに、摺動自在に貫入している。
【００５１】
操作部材５６には、レンズ付きフイルムユニット５１の前カバーに設けられた操作溝５８から前面に突出し、レンズ付きフイルムユニット５１の外面から操作部材５６を操作するための操作つまみ５６ａが一体に設けられている。そして、操作部材５６の右側には、プリントモードを写真フイルム記録するためのプリントモード記録装置（図示せず）を構成する選択スイッチ６１の接片６１ａが設けられている。このプリントモード記録装置については、前述した第１実施例と同様である。
【００５２】
このような構成により、例えば、図８（Ｂ）のように、操作部材５６がハイビジョン位置にセットされている状態では、遮光板５３、５４は何れもファインダ５２の前面から退避しており、ファインダ５２の視野は全く制限されないので、本来の視野であるハイビジョンモードの視野となっている。
【００５３】
つぎに、操作つまみ５６ａを左側にスライドさせて、図８（Ａ）のように操作部材５６をパノラマ位置に動かすと、連動部材５５が時計方向に回動し、連動部材５５の端部に各々軸着している遮光板５３、５４は、上下方向に互いに接近するように動き、ファインダ５２の上下を各々一定幅だけ覆う。これにより、ファインダ５２はハイビジョンモードに対応した視野に変化する。
【００５４】
また、図８（Ｂ）の状態から、操作つまみ５６ａを右側にスライドさせて、図８（Ｃ）のように操作部材５６をＬサイズ位置にスライドさせると、今度は連動部材５５が反時計方向に回動し、連動部材５５の端部に各々軸着している遮光板５３、５４は、左右方向に互いに接近するように動き、ファインダ５２の左右端を各々一定幅だけ覆う。これにより、ファインダ５２はＬサイズモードに対応した視野に変化する。
【００５５】
なお、上述した３つの上記実施例では、ファインダの視野をパノラマ、Ｌサイズ、およびハイビジョンの各モードに対応した視野に切り替えているが、もちろん、これ以外の任意のプリントモードに対応して、ファインダの視野を切り替えてもよい。
【００５６】
【発明の効果】
以上、詳細に説明したように、本発明のファインダ視野切替え機構によれば、屈曲部から２方向に延長した、互いになす角が９０度よりも大きい第１遮光部と第２遮光部とからなり、第１位置と第２位置との間で回動可能に屈曲部で軸支される、相互に対称に配置された２枚の遮光板と、この２枚の遮光板を連動して操作する操作部材とからなり、２枚の遮光板が第１位置にある時には、各々の第１遮光部がファインダの上部と下部を各々一定幅覆ってファインダの縦方向の視野を規制し、２枚の遮光板が第２位置にある時には、各々の第２遮光部がファインダの左側部と右側部を各々一定幅覆ってファインダの横方向の視野を規制することにより、ファインダの視野範囲を切り替えるようにしたので、ファインダの視野を３つ以上のプリントモードに対応して切替え可能になり、且つ、小型化が可能なファインダ視野切替え機構を提供することができる。
【図面の簡単な説明】
【図１】本発明のファインダ視野切替え機構の説明図である。
【図２】本発明のファインダ視野切替え機構を組み込んだレンズ付きフイルムユニットの外観斜視図である。
【図３】図１のファインダ視野切替え機構の各モードでの様子を示した説明図である。
【図４】図２のレンズ付きフイルムユニットに内蔵されるプリントモード記録装置の回路図である。
【図５】図２のレンズ付きフイルムユニットで撮影した写真フイルムを示す説明図である。
【図６】本発明のファインダ視野切替え機構の第２実施例における説明図である。
【図７】本発明のファインダ視野切替え機構の第３実施例における説明図である。
【図８】図７のファインダ視野切替え機構の各モードでの様子を示した説明図である。
【符号の説明】
１  ファインダ視野切替え機構
２  レンズ付きフイルムユニット
３  ユニット本体
６  ファインダ
７、８  遮光板
１５  連動部材
【図１】
0003559348.tif 000002
【図２】
0003559348.tif 000003
【図３】
0003559348.tif 000004
【図４】
0003559348.tif 000005
【図５】
0003559348.tif 000006
【図６】
0003559348.tif 000007
【図７】
0003559348.tif 000008
【図８】
0003559348.tif 000009